(57)【要約】【課題】耐電圧特性の向上した太陽電池モジュールを提供する。【解決手段】  絶縁性を有する基板１Ａの一主面上に、第１電極と光電変換機能を有する半導体膜と第２電極とからなる光電変換部１Ｂを備え、該光電変換部１Ｂ上に接着層３によって導電性を有する裏面材２が接着されてなる太陽電池モジュールであって、前記接着層３が絶縁性の材料からなり、且つ前記光電変換部１Ｂの周側面を被覆して設けられていることを特徴とする。【選択図】図１
2006196915.tif 000002
【特許請求の範囲】
【請求項１】
絶縁性を有する基板の一主面上に、第１電極と光電変換機能を有する半導体膜と第２電極とからなる光電変換部を備え、該光電変換部上に接着層によって導電性を有する裏面材が接着されてなる太陽電池モジュールであって、
前記接着層が絶縁性の材料からなり、且つ前記光電変換部の周側面を被覆して設けられていることを特徴とする太陽電池モジュール。
【請求項２】
前記接着層における前記光電変換部の周側面を被覆する部分の厚みが２ｍｍ以上であることを特徴とする請求項１記載の太陽電池モジュール。
【請求項３】
前記厚みが３ｍｍ以上であることを特徴とする請求項２記載の太陽電池モジュール。
【請求項４】
前記光電変換部と接着層との間に、保護層を有することを特徴とする請求項１乃至３のいずれかに記載の太陽電池モジュール。
【請求項５】
前記基板は、前記一主面の中央部分に前記光電変換部が設けられる発電領域を有するとともに、該発電領域を囲繞する非発電領域を有し、且つ前記接着層は、前記光電変換部の表面を被覆して前記非発電領域上に設けられていることを特徴とする請求項１乃至４のいずれかに記載の太陽電池モジュール。
【請求項６】
前記非発電領域は、前記一主面上の全面に設けられた前記光電変換部における一部が枠状に除去されてなる領域であることを特徴とする請求項５記載の太陽電池モジュール。
【請求項７】
前記非発電領域は、前記保護層をマスクとして前記光電変換部を枠状に除去することにより形成されていることを特徴とする請求項６記載の太陽電池モジュール。
【請求項８】
前記光電変換部の除去は、ブラスト加工法により行われたことを特徴とする請求項６又は７記載の太陽電池モジュール。
【請求項９】
絶縁性を有する基板の一主面上に、第１電極と光電変換機能を有する半導体膜と第２電極とからなる光電変換部を形成する工程と、該光電変換部上に接着層によって導電性を有する裏面材を接着する工程と、を備え、
前記接着層として絶縁性を有する接着層を用い、且つ該接着層を前記光電変換部の周側面を被覆するように設けることを特徴とする太陽電池モジュールの製造方法。
【請求項１０】
前記接着層における前記光電変換部の周側面を被覆する部分の厚みを２ｍｍ以上とすることを特徴とする請求項９記載の太陽電池モジュールの製造方法。
【請求項１１】
前記厚みを３ｍｍ以上とすることを特徴とする請求項１０記載の太陽電池モジュールの製造方法。
【請求項１２】
前記基板の一主面上における全面に前記光電変換部を形成する工程と、該光電変換部の一部を枠状に除去し、前記一主面の一部を枠状に露出させる工程と、露出した前記一主面上に、前記光電変換部の表面を被覆して前記接着層を形成する工程と、を備えることを特徴とする請求項９乃至１１のいずれかに記載の太陽電池モジュールの製造方法。
【請求項１３】
前記基板の一主面上の全面に形成された前記光電変換部の中央部分に保護層を形成すると共に、該保護層をマスクとして前記光電変換部の一部を枠状に除去することを特徴とする請求項１２記載の太陽電池モジュールの製造方法。
【請求項１４】
前記光電変換部の除去を、ブラスト加工法を用いて行うことを特徴とする請求項１２又は１３記載の太陽電池モジュールの製造方法。
【発明の詳細な説明】
【技術分野】
【０００１】
本発明は、太陽電池モジュール及びその製造方法に係り、特に導電性を有する裏面材を備えた太陽電池モジュールにおいて、耐電圧を向上させるための技術に関する。
【背景技術】
【０００２】
太陽電池を家屋やビル等の建造物に設置するにあたって、建材と一体化された建材一体型の太陽電池モジュールを用いることにより、従来設置するために必要であった金属製架台等の周辺物を削減し、コストを低減すると共に取付けを容易とする方法が知られている。
【０００３】
図５は斯かる建材一体型の太陽電池モジュールの構成を示す断面構造図である。
【０００４】
同図において、１は太陽電池部であり、基板１Ａと光電変換部１Ｂとから構成されている。基板１Ａは例えばガラスのような透光性及び絶縁性を有する材料から構成されている。また、光電変換部１Ｂは、例えば内部にｐｉｎ構造を有する非晶質半導体膜等の光電変換機能を有する半導体膜が、第１電極と第２電極との間に挟持されて構成されている。そして、建材一体型の太陽電池モジュールは、上記太陽電池部１が、例えば鋼鈑からなり建材として機能する裏面材２に接着層３によって接着されることにより構成されている。
【発明の開示】
【発明が解決しようとする課題】
【０００５】
ところで、太陽電池モジュールには、安全面からの要請により十分な耐電圧特性を有することが要求されている。ＪＩＳ  Ｃ  ８９１８に規定される規格によれば、モジュールの出力端子と接地端子との間に最大システム電圧の２倍＋１０００Ｖの直流電圧を１分間印加したときに、絶縁破壊などの異常がないことが要求される。
【０００６】
然し乍ら、図５に示す従来の太陽電池モジュールにおいては、光電変換部１Ｂの周側面が外部に露出している。そして、この裏面材２と光電変換部１Ｂの周側面との距離が数ｍｍ程度と極めて近接しているために、裏面材２が導電性を有する場合には裏面材２と光電変換部１Ｂの周側面との間で短絡を生じやすく、このため耐電圧特性が低下するという課題があった。この課題は、裏面材２として塗装された表面を有する鋼鈑を用いた場合にも同様に発生していた。
【課題を解決するための手段】
【０００７】
斯かる従来の課題を解決するために、本発明太陽電池モジュールは、絶縁性を有する基板の一主面上に、第１電極と光電変換機能を有する半導体膜と第２電極とからなる光電変換部を備え、該光電変換部上に接着層によって導電性を有する裏面材が接着されてなる太陽電池モジュールであって、前記接着層が絶縁性の材料からなり、且つ前記光電変換部の周側面を被覆して設けられていることを特徴とする。
【０００８】
ここで、本発明にあって導電性を有する裏面材とは、裏面材の大部分が導電性を有しておれば良く、例えば塗装が施されることにより表面が絶縁性とされた鋼鈑等も、導電性を有する裏面材に含まれる。
【０００９】
また、前記接着層における前記光電変換部の周側面を被覆する部分の厚みが２ｍｍ以上であることを特徴とし、前記厚みが３ｍｍ以上であることを特徴とする。
【００１０】
さらに、前記光電変換部と接着層との間に、保護層を有することを特徴とする。
【００１１】
加えて、前記基板は、前記一主面の中央部分に前記光電変換部が設けられる発電領域を有するとともに、該発電領域を囲繞する非発電領域を有し、且つ前記接着層は、前記光電変換部の表面を被覆して前記非発電領域上に設けられていることを特徴とし、前記非発電領域は、前記一主面上の全面に設けられた前記光電変換部における一部が枠状に除去されてなる領域であることを特徴とする。
【００１２】
さらには、前記非発電領域は、前記保護層をマスクとして前記光電変換部を枠状に除去することにより形成されていることを特徴とし、前記光電変換部の除去は、ブラスト加工法により行われたことを特徴とする。
【００１３】
また、本発明太陽電池モジュールの製造方法は、絶縁性を有する基板の一主面上に、第１電極と光電変換機能を有する半導体膜と第２電極とからなる光電変換部を形成する工程と、該光電変換部上に接着層によって導電性を有する裏面材を接着する工程と、を備え、前記接着層として絶縁性を有する接着層を用い、且つ該接着層を前記光電変換部の周側面を被覆するように設けることを特徴とする。
【００１４】
このとき、前記接着層における前記光電変換部の周側面を被覆する部分の厚みを２ｍｍ以上とすることを特徴とし、好ましくは３ｍｍ以上とすることを特徴とする。
【００１５】
さらに、前記基板の一主面上における全面に前記光電変換部を形成する工程と、該光電変換部の一部を枠状に除去し、前記一主面の一部を枠状に露出させる工程と、露出した前記一主面上に、前記光電変換部の表面を被覆して前記接着層を形成する工程と、を備えることを特徴とする。
【００１６】
加えて、前記基板の一主面上の全面に形成された前記光電変換部の中央部分に保護層を形成すると共に、該保護層をマスクとして前記光電変換部の一部を枠状に除去することを特徴とし、前記光電変換部の除去を、ブラスト加工法を用いて行うことを特徴とする。
【発明を実施するための最良の形態】
【００１７】
図１は、本発明の実施の形態に係る太陽電池モジュールの概略構成を説明するための構造図であり、同図（Ａ）は基板の平面図、また同図（Ｂ）は本実施形態の太陽電池モジュールの断面構造図である。尚、同図において図５と同一の機能を呈する部分には同一の符号を付している。
【００１８】
図１（Ａ）を参照して、基板１Ａは例えばガラス等の透光性且つ絶縁性を有する材料から構成されている。この基板１Ａは、一主面上における中央部分に光電変換部１Ｂが形成される発電領域２１を有しており、その周囲には該発電領域２１を囲繞する非発電領域２２を有している。
【００１９】
同図（Ｂ）を参照して、第１電極と光電変換機能を有する半導体膜と第２電極とからなる光電変換部１Ｂは、基板１Ａの一主面における発電領域２１上にこの順に形成されている。上記第１電極は例えばＳｎＯ2，ＩＴＯ，ＺｎＯ等の透光性を且つ導電性を有する材料から構成することができる。また、光電変換機能を有する半導体膜は、例えば内部にｐｉｎ接合を有する非晶質半導体膜から構成することができる。さらに、第２電極は、例えばＡｇ，Ａｌ等の可視光領域の光に対して高い反射率を有する材料から構成することができる。そして、この光電変換部１Ｂ上には接着層３によって金属板からなる導電性の裏面材２が接着されている。
【００２０】
ここで、本発明にあっては上記接着層３が絶縁性の材料から構成されており、そしてこの接着層３が光電変換部１Ｂの表面を被覆して上記基板１Ａの一主面における非発電領域２２上に形成されている。上記接着層３の材料としては、ＥＶＡ（エチレン・ビニル・アセテート）、ＰＶＢ（ポリビニルブチラール）、ＰＶＣ（ポリ塩化ビニル）、ポリウレタン、シリコーン等の材料を用いることができる。
【００２１】
従って、本発明によれば光電変換部１Ｂの周側面が絶縁性を有する接着層３により完全に被覆されており、外部に露出する部分がない。このため光電変換部１Ｂと導電性を有する裏面材２との間で生じる絶縁破壊を抑制することができ、太陽電池モジュールの耐電圧特性を向上させることができる。
【００２２】
ところで、このように太陽電池モジュールの耐電圧特性を十分高くするためには、光電変換部１Ｂの周側面を被覆する部分における絶縁層３の厚み、即ち基板１Ａの一主面と平行な方向の厚みをある程度以上厚くする必要がある。即ち、この厚みが薄いと耐電圧特性を十分に向上させることができない。そこで、光電変換部１Ｂと裏面材２との間に１０００Ｖの電圧を印可した場合に絶縁破壊が生じなかったものの歩留と厚みとの関係を調べた。この結果を図２の特性図に示す。
【００２３】
尚、上記光電変換部１Ｂとしては、膜厚が約８０００ÅのＳｎＯ2膜からなる第１電極と、膜厚約１００Åのｐ型ａ−ＳｉＣ膜、膜厚約４０００Åのｉ型ａ−Ｓｉ膜、膜厚約２００Åのｎ型ａ−Ｓｉ膜が順次積層されてなる半導体膜と、膜厚約２μｍのＡｇ膜からなる第２電極とが積層された構成のものを用いた。
【００２４】
同図に示す如く、光電変換部１Ｂの周側面を被覆する部分における絶縁層３の厚みを２ｍｍ以上とすることで、絶縁破壊が生じないものの歩留を９５％以上と向上することができ、厚みを３ｍｍ以上とすることで歩留を９８％以上とすることができる。従って、光電変換部１Ｂの周側面を被覆する部分における絶縁層３の厚みは２ｍｍ以上とすることが好ましく、３ｍｍ以上とすることがより好ましい。尚、絶縁膜３が形成された領域は光発電に寄与しない無効領域となるために、太陽電池モジュールの発電量が低下する。従って、上記厚みの上限値は太陽電池モジュールの発電量に応じて適宜定めれば良い。
【００２５】
ところで、上記絶縁膜３が形成される非発電領域２２を設ける位置は、図１に示す如く基板１Ａの周縁部に限定されるものではない。この例を図３に示す。
【００２６】
図３は本発明の他の実施の形態に係る太陽電池モジュールの断面構造図である。尚、同図において図１と同一の機能を呈する部分には同一の符号を付している。
【００２７】
同図に示す如く、基板１Ａの一主面における周縁部上には、第１電極と半導体膜と第２電極とが積層されてなる積層体３１が残存している。この積層体３１は、発電領域２１上に形成された光電変換部１Ｂとは、該光電変換部１Ｂの表面を被覆して設けられた絶縁層３により電気的に絶縁されており、積層体３１は光電変換部としては機能しない。従って、斯かる構成の太陽電池モジュールであっても光電変換部１Ｂの周側面を被覆する部分における絶縁層３の厚みを２ｍｍ以上、好ましくは３ｍｍ以上とすることで、太陽電池モジュールの耐電圧特性を向上させることができる。
【００２８】
次に、図１に示す本発明太陽電池モジュールを製造する方法について、図４を参照して説明する。図４は本発明太陽電池モジュールの製造方法を説明するための工程別断面構造図である。
【００２９】
まず、同図（Ａ）に示す工程においては、ガラスからなる基板１Ａの一主面の全面に、熱ＣＶＤ法を用いてＳｎＯ2膜からなる第１電極４１を形成する。ＳｎＯ2膜の代わりにスパッタ法を用いてＩＴＯ膜或いはＺｎＯ膜を形成し、第１電極４１としても良い。
【００３０】
次いで第１電極４１上に、プラズマＣＶＤ法を用いてｐ，ｉ，ｎ型の非晶質半導体膜をこの順に積層することにより、光電変換機能を有する半導体膜４２を形成する。そして、この半導体膜４２上に、スパッタ法或いは蒸着法等の方法によりＡｇやＡｌ等の高反射性の金属膜からなる第２電極４３を形成する。これら第１電極４１、半導体膜４２及び第２電極４３の積層体から光電変換部１Ｂが構成される。尚、この光電変換部１Ｂは周知の方法により集積型の構成とされていても良い。
【００３１】
次に同図（Ｂ）に示す構成においては、光電変換部１Ｂの中央部分における前述した発電領域２１に対応する位置に、マスクとなる保護膜５１を形成する。この保護膜５１を構成する材料は、後述する光電変換部１Ｂの除去工程において使用する除去方法に応じて適宜定めれば良い。
【００３２】
次いで同図（Ｃ）に示す工程においては、上記保護膜５１をマスクとして光電変換部１Ｂを枠状に除去する。このときの除去の幅は、前述の通り２ｍｍ以上、好ましくは３ｍｍ以上とする。
【００３３】
このように光電変換部１Ｂを除去するにあたっては、最も基板１Ａ側に位置する第１電極４１が残存しやすいが、このように第１電極４１の一部でも残存すると、残存した第１電極４１と後述する裏面材２との間で絶縁破壊が生じる。従って、本発明にあっては第１電極４１に至るまでの全ての光電変換部１Ｂを除去して基板１Ａの一主面を露出させることが重要である。そして、この露出した部分が前述の非発電領域となる。
【００３４】
上記のように、光電変換部１Ｂの一部を枠状に除去するにあたっては、レーザ加工法、ウェットエッチング法、或いはドライエッチング法等の従来周知の方法を用いることができる。然し乍ら、レーザ加工法は基本的に微細加工用の方法であり、１回のレーザ照射では精々数１００μｍ程度の幅でしか加工することができない。従って、上記のように２ｍｍ以上、好ましくは３ｍｍ以上の幅で除去加工を行うためにはレーザ光の照射を複数回にわたって繰り返す必要があり、加工に長時間を有する。
【００３５】
また、光電変換部１Ｂは、前述の通り第１電極４１、半導体膜４２及び第２電極４３の積層体から構成されている。このため、ウェットエッチング或いはドライエッチングのようなエッチング方法により光電変換部１Ｂの除去加工を行おうとすると、エッチング溶液或いはエッチングプラズマを交換しながら繰り返しエッチング加工を行う必要があり、やはり加工に長時間を要する。
【００３６】
さらに、グラインダーを用いた場合のような所謂機械的加工を施すと、除去加工の際に基板１Ａにクラックが入りやすく、このため基板１Ａに割れ等の破損が生じやすい。
【００３７】
そこで、本発明にあっては、光電変換部１Ｂの除去をブラスト加工法により行う。ブラスト加工法は、例えば「セラミックス加工ハンドブック」（株式会社建設産業調査会、昭和６２年１１月３０日発行、ｐ３２７〜３３１）に記載されている如く、粒径が数ｍｍ〜数μｍの微粒子を加工物に噴射し、衝突時の衝撃により加工物を除去する方法であり、積層体である光電変換部１Ｂを一度の加工で除去することができる。例えば、粒径が２０μｍ〜６０μｍのＳｉＣ微粒子を、４．５ａｔｍ〜５．５ａｔｍの空気圧力で噴射することにより、光電変換部１Ｂを完全に除去し、基板１Ａの一主面を露出することができる。この露出した部分が前述の非発電領域２２となる。
【００３８】
このようにブラスト加工法を用いて光電変換部１Ｂの除去を行うにあたっては、前記保護膜５１としてラテックス、ゴムのような減衰抵抗の大きい材料や銅のような延性材料を用いることができる。尚、この保護膜５１は、光電変換部１Ｂを除去した後に取り除く。
【００３９】
そして、同図（Ｄ）に示す工程においては、基板１Ａと光電変換部１Ｂとからなる太陽電池部１を、ＥＶＡシート等の接着シート５２を介して鋼鈑等の導電性を有する裏面材２上に重畳する。そして、この状態で１５０℃〜１８０℃の温度で３０分程度加熱する。この加熱工程により、接着シート５２が軟化状態となり、光電変換部１Ｂの表面を被覆して基板１Ａの一主面における前記非発電領域２２にまで至り、光電変換部１Ｂの周側面を被覆した状態で太陽電池部１と裏面材２とを接着する。このようにして図１に示す構成の太陽電池モジュールが製造される。
【００４０】
尚、以上の実施形態にあっては光電変換部１Ｂの周縁部分を枠状に除去した後に、保護膜５１を取り除いたが、この保護膜５１を残しておいても良い。例えば保護膜５１としてエポキシ系の樹脂を用い、保護膜５１を残した状態で太陽電池部１と裏面材２とを接着して太陽電池モジュールを製造しても良い。斯かる構成の太陽電池モジュールによれば、上記保護膜５１が落下物による衝撃を吸収する保護層として作用するために、太陽電池モジュールの衝撃に対する強度を向上させることができる。従って、太陽電池モジュールの衝撃に対する強度を向上させるための保護層を、光電変換部１Ｂの除去工程に使用するマスクとしても用いることができる。
【００４１】
さらには、本発明は光電変換機能を有する半導体膜が非晶質半導体膜から構成されるものに限定されるものではなく、他の半導体膜を用いたものであっても本発明を適用することができる。
【００４２】
以上説明した如く、本発明によれば耐電圧特性の向上した太陽電池モジュールを提供することができる。
【図面の簡単な説明】
【００４３】
【図１】本発明の実施の形態に係る太陽電池モジュールの構造図である。
【図２】光電変換部の周側面を被覆する部分における接着層の厚みと太陽電池モジュールの歩留との関係を示す特性図である。
【図３】本発明の他の実施の形態に係る太陽電池モジュールの断面構造図である。
【図４】本発明製造方法を説明するための工程別断面構造図である。
【図５】従来の太陽電池モジュールの断面構造図である。
【符号の説明】
【００４４】
１…太陽電池部、１Ａ…基板、１Ｂ…光電変換部、２…裏面材、３…接着層、２
１…発電領域、２２…非発電領域
【図１】
2006196915.tif 000003
【図２】
2006196915.tif 000004
【図３】
2006196915.tif 000005
【図４】
2006196915.tif 000006
【図５】
2006196915.tif 000007
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
ガラスからなる基板と、
前記基板の一主面における発電領域上に形成された、透光性且つ導電性を有する材料からなる第１電極と光電変換機能を有する半導体膜と金属膜からなる第２電極とをこの順に備えた集積型の光電変換部と、
前記光電変換部上に接着された裏面材と、
前記裏面材を前記光電変換部上に接着するための接着層と、
を備え、
前記基板は、前記一主面に、前記発電領域を囲繞するように前記第１電極を除去して形成された、前記基板の表面が露出する非発電領域を有し、
前記接着層は、前記光電変換部における前記第２電極の表面を被覆して前記非発電領域上に設けられ、
前記非発電領域上に設けられた前記接着層の、前記基板の一主面と平行な方向の厚みは、２ｍｍ以上であることを特徴とする太陽電池モジュール。
【請求項２】
前記接着層の、前記基板の一主面と平行な方向の厚みが３ｍｍ以上であることを特徴とする請求項１記載の太陽電池モジュール。
【請求項３】
前記光電変換部と接着層との間に、保護層を有することを特徴とする請求項１又は２に記載の太陽電池モジュール。
【請求項４】
前記非発電領域は、前記一主面上の全面に設けられた前記光電変換部における一部が枠状に除去されることによって前記基板の表面が露出されてなる領域であることを特徴とする請求項１乃至３のいずれかに記載の太陽電池モジュール。
【請求項５】
前記非発電領域は、前記保護層をマスクとして前記光電変換部を枠状に除去することにより形成されていることを特徴とする請求項４記載の太陽電池モジュール。
【請求項６】
前記非発電領域は、ブラスト加工法により形成されたことを特徴とする請求項１乃至５のいずれかに記載の太陽電池モジュール。
【請求項７】
透光性且つ導電性を有する材料からなる第１電極が全面に形成されたガラスからなる基板における発電領域の前記第１電極上に、光電変換機能を有する半導体膜と金属膜からなる第２電極と、を形成することにより、前記第１電極と前記半導体膜と前記第２電極とを有する集積型の光電変換部を形成する工程と、
前記基板の前記発電領域を囲繞する領域上に形成されている前記第１電極を除去して前記基板の表面を露出させることにより、前記発電領域を囲繞する非発電領域を形成する工程と、
前記光電変換部の表面を被覆して前記非発電領域上に至るように形成された絶縁性を有する接着層によって、前記基板及び光電変換部上に、裏面材を接着する工程と、
を有すると共に、
前記非発電領域上に設けられた前記接着層の、前記基板の表面と平行な方向の厚みを、２ｍｍ以上とすること、
を特徴とする太陽電池モジュールの製造方法。
【請求項８】
前記接着層の、前記基板の表面と平行な方向の厚みを３ｍｍ以上とすることを特徴とする請求項７記載の太陽電池モジュールの製造方法。
【請求項９】
前記非発電領域を形成する工程は、前記基板の前記非発電領域上に形成された前記第１電極と前記半導体膜と前記第２電極とを除去することにより行うことを特徴とする請求項７又は８に記載の太陽電池モジュールの製造方法。
【請求項１０】
前記非発電領域を形成する工程は、前記基板の一主面上の全面に形成された前記光電変換部の中央部分に保護層を形成すると共に、該保護層をマスクとして前記光電変換部の一部を枠状に除去することにより行うことを特徴とする請求項７乃至９のいずれかに記載の太陽電池モジュールの製造方法。
【請求項１１】
前記非発電領域を形成する工程を、ブラスト加工法を用いて行うことを特徴とする請求項７乃至１０のいずれかに記載の太陽電池モジュールの製造方法。
【手続補正２】
【補正対象書類名】明細書
【補正対象項目名】０００７
【補正方法】変更
【補正の内容】
【０００７】
斯かる従来の課題を解決するために、本発明太陽電池モジュールは、ガラスからなる基板と、前記基板の一主面における発電領域上に形成された、透光性且つ導電性を有する材料からなる第１電極と光電変換機能を有する半導体膜と金属膜からなる第２電極とをこの順に備えた集積型の光電変換部と、前記光電変換部上に接着された裏面材と、前記裏面材を前記光電変換部上に接着するための接着層と、を備え、前記基板は、前記一主面に、前記発電領域を囲繞するように前記第１電極を除去して形成された、前記基板の表面が露出する非発電領域を有し、前記接着層は、前記光電変換部における前記第２電極の表面を被覆して前記非発電領域上に設けられ、前記非発電領域上に設けられた前記接着層の、前記基板の一主面と平行な方向の厚みは、２ｍｍ以上であることを特徴とする。
【手続補正３】
【補正対象書類名】明細書
【補正対象項目名】０００９
【補正方法】変更
【補正の内容】
【０００９】
また、前記接着層の厚みが３ｍｍ以上であることを特徴とする。
【手続補正４】
【補正対象書類名】明細書
【補正対象項目名】００１１
【補正方法】変更
【補正の内容】
【００１１】
加えて、前記非発電領域は、前記一主面上の全面に設けられた前記光電変換部における一部が枠状に除去されてなる領域であることを特徴とする。
【手続補正５】
【補正対象書類名】明細書
【補正対象項目名】００１３
【補正方法】変更
【補正の内容】
【００１３】
また、本発明太陽電池モジュールの製造方法は、透光性且つ導電性を有する材料からなる第１電極が全面に形成されたガラスからなる基板における発電領域の前記第１電極上に、光電変換機能を有する半導体膜と金属膜からなる第２電極と、を形成することにより、前記第１電極と前記半導体膜と前記第２電極とを有する集積型の光電変換部を形成する工程と、前記基板の前記発電領域を囲繞する領域上に形成されている前記第１電極を除去して前記基板の表面を露出させることにより、前記発電領域を囲繞する非発電領域を形成する工程と、前記光電変換部の表面を被覆して前記非発電領域上に至るように形成された絶縁性を有する接着層によって、前記基板及び光電変換部上に、裏面材を接着する工程と、を有すると共に、前記非発電領域上に設けられた前記接着層の、前記基板の表面と平行な方向の厚みを、２ｍｍ以上とすること、を特徴とする。
【手続補正６】
【補正対象書類名】明細書
【補正対象項目名】００１４
【補正方法】変更
【補正の内容】
【００１４】
このとき、前記接着層の、前記基板の表面と平行な方向の厚みを、好ましくは３ｍｍ以上とすることを特徴とする。